(57)【特許請求の範囲】
【請求項１】
一側を開口した凹形状のハウジングと、その開口面を閉鎖するカバーとを設け、前記ハウジング内に導電性の固定接点片と可動接点片とを対設し、前記ハウジングに保持されて操作されるレバーの押圧力を前記可動接点片に加えて該可動接点片を可動変位させることにより接点部間を接離してスイッチング操作する回動スイッチであって、
前記ハウジングには共通の固定接点片と、この共通固定接点片とは別の固定接点片とを並列配置して設け、
前記各固定接点片の並列配置方向に直交して配置され、前記共通固定接点片側に付勢対接して前記直交方向に傾動自由に支持される傾動支点部を、導電性板バネ材を折曲げたＵ字形の一片側中間位置に有し、この一片側の可動変位方向の傾動支点部を基点とする該一片側の長手方向端部に接点部を形成した可動接点片を設け、
前記可動接点片の傾動支点部を前記共通固定接点片に常時接触対応させた状態で、対向する前記固定接点片の接点部と前記可動接点片の接点部との接離を、前記可動接点片の他片側の外面長手方向に沿って接する前記レバーの押圧力に基づいて前記可動接点片をシーソ状に反転して切換える接点切換え機構を設け、
前記接点切換え機構を内蔵したハウジングに回動自在に取付けられ、かつ復帰バネで外方に付勢突出させたレバーを設け、
前記レバーの回動操作または回動復帰操作時に、該レバーの基端部に回動方向に沿って突出形成した円弧形突起が前記可動接点片の他片側を押圧接触・押圧退避して、該可動接点片を弾性変位させることにより該可動接点片の一片側に形成された接点部を固定接点片側に反転させて切換える
回動スイッチ。
【請求項２】
一側を開口した凹形状のハウジングと、その開口面を閉鎖するカバーとを設け、前記ハウジング内に導電性の固定接点片と可動接点片とを対設し、前記ハウジングに保持されて操作されるレバーの押圧力を前記可動接点片に加えて該可動接点片を可動変位させることにより接点部間を接離してスイッチング操作する回動スイッチであって、
前記ハウジングには共通の固定接点片と、この共通固定接点片を挟む両側位置に第１固定接点片と第２固定接点片とをそれぞれ並列配置して設け、
前記各固定接点片の並列配置方向に直交して配置され、前記共通固定接点片側に付勢対接して前記直交方向に傾動自由に支持される傾動支点部を、導電性板バネ材を折曲げたＵ字形の一片側中間位置に有し、この一片側の可動変位方向の傾動支点部を挟む該一片側の長手方向両側位置に第１可動接点部と第２可動接点部を形成した可動接点片を設け、
前記可動接点片の傾動支点部を前記共通固定接点片に常時接触対応させた状態で、一方に対向する前記第１固定接点片と前記第１可動接点部との接離と、他方に対向する前記第２固定接点片と前記第２可動接点部との接離を、前記可動接点片の他片側の外面長手方向に沿って接する前記レバーの押圧力に基づいて前記可動接点片をシーソ状に反転して切換える接点切換え機構を設け、
前記接点切換え機構を内蔵したハウジングに回動自在に取付けられ、かつ復帰バネで外方に付勢突出させたレバーを設け、
前記レバーの回動操作または回動復帰操作時に、該レバーの基端部に回動方向に沿って突出形成した円弧形突起が前記可動接点片の他片側を押圧接触・押圧退避して、該可動接点片を弾性変位させることにより該可動接点片の一片側に形成された第１可動接点部と第２可動接点部とのいずれかの接点部を固定接点片側に反転させて切換える
回動スイッチ。
【請求項３】
一側を開口した凹形状のハウジングと、その開口面を閉鎖するカバーとを設け、前記ハウジング内に導電性の固定接点片と可動接点片とを対設し、前記ハウジングに保持されて操作されるレバーの押圧力を前記可動接点片に加えて該可動接点片をシーソ状に可動変位させることにより対向する両接点片の接点部間を接離してスイッチング操作する回動スイッチであって、
前記可動接点片をシーソ状に支持する支点部を備えてハウジングに固定される共通固定接点片と、この共通固定接点片とは別に並列してハウジングに固定される固定接点片とを設け、
前記各固定接点片の並列配置方向に直交して配置され、前記共通固定接点片の支点部に付勢対接して前記直交方向にシーソ状に傾動自由に支持される傾動支点部を、導電性板バネ材を折曲げたＵ字形の一片側中間位置に有し、この一片側の可動変位方向の傾動支点部を基点とする該一片側の長手方向端部に接点部を形成した可動接点片を設け、
前記ハウジングに回動自在に取付けられ、かつ復帰バネで外方に付勢突出させたレバーを設け、
前記可動接点片の傾動支点部を前記共通固定接点片の支点部に常時接触対応させた状態で、前記該レバーの回動操作または回動復帰操作時に、該レバーの基端部に回動方向に沿って突出形成した円弧形突起が前記可動接点片の他片側を押圧接触・押圧退避して、該可動接点片を弾性変位させることにより該可動接点片の一片側に形成された接点部を固定接点片側に反転させ、対向する前記固定接点片の接点部と前記可動接点片の接点部との接離を、前記可動接点片の他片側の外面長手方向に沿って接する前記レバーの押圧力に基づいて前記可動接点片をシーソ状に反転して切換える接点切換え機構を設け、
前記可動接点片の両端部が対向する前記固定接点片側のハウジング内壁面に、前記可動接点片側に向けて突出し、前記可動接点片の傾動角度が過剰傾動するのを規制する過剰傾動規制突起を設けた
回動スイッチ。
【請求項４】
一側を開口した凹形状のハウジングと、その開口面を閉鎖するカバーとを設け、前記ハウジング内に導電性の固定接点片と可動接点片とを対設し、前記ハウジングに保持されて操作されるレバーの押圧力を前記可動接点片に加えて該可動接点片をシーソ状に可動変位させることにより対向する両接点片の接点部間を接離してスイッチング操作する回動スイッチであって、
前記可動接点片をシーソ状に支持する支点部を備えてハウジングに固定される共通固定接点片と、この共通固定接点片を挟む両側位置に第１固定接点片と第２固定接点片とをそれぞれ並列配置して設け、
前記各固定接点片の並列配置方向に直交して配置され、前記共通固定接点片の支点部に付勢対接して前記直交方向にシーソ状に傾動自由に支持される傾動支点部を、導電性板バネ材を折曲げたＵ字形の一片側中間位置に有し、この一片側の可動変位方向の傾動支点部を挟む該一片側の長手方向両側位置に第１可動接点部と第２可動接点部を形成した可動接点片を設け、
前記ハウジングに回動自在に取付けられ、かつ復帰バネで外方に付勢突出させたレバーを設け、
前記可動接点片の傾動支点部を前記共通固定接点片の支点部に常時接触対応させた状態で、前記回動レバーの回動操作または回動復帰操作時に、該レバーの基端部に回動方向に沿って突出形成した円弧形突起が前記可動接点片の他片側を押圧接触・押圧退避して、該可動接点片を弾性変位させることにより該可動接点片の一片側に形成された第１可動接点部と第２可動接点部とのいずれかの接点部を固定接点片側に反転させて切換え、対向する前記第１固定接点片と前記第１可動接点部との接離と、他方に対向する前記第２固定接点片と前記第２可動接点部との接離を、前記可動接点片の他片側の外面長手方向に沿って接する前記レバーの押圧力に基づいて前記可動接点片をシーソ状に反転して切換える接点切換え機構を設け、
前記可動接点片の両端部が対向する前記固定接点片側のハウジング内壁面に、前記可動接点片側に向けて突出し、前記可動接点片の傾動角度が過剰傾動するのを規制する過剰傾動規制突起を設けた
回動スイッチ。
【請求項５】
前記可動接点片はＵ字形板バネ材の一片側を接点接触用に設定し、他片側を外力受圧用に設定し、前記一片側に設けた傾動支点部を共通固定接点片の支点部に付勢対接してシーソ状に傾動自由に設け、前記他片側の開放端部を、くの字形に内向きに曲げた、くの字形折曲部に形成したことを特徴とする
請求項１から４のうちいずれか１に記載の回動スイッチ。
【請求項６】
前記可動接点片はＵ字形板バネ材の一片側を接点接触用に設定し、他片側を外力受圧用に設定し、前記一片側に設けた傾動支点部を共通固定接点片の支点部に付勢対接してシーソ状に傾動自由に設け、前記他片側の外面中央部に長手方向に沿って細長く突出する摺接突起を設けたことを特徴とする
請求項１から５のうちいずれか１に記載の回動スイッチ。
【発明の詳細な説明】
【０００１】
【発明が属する技術分野】
この発明は、例えば冷蔵庫のドアスイッチに利用されるようなスイッチに関し、さらに詳しくは部品点数の削減と安定した接点性能を実現することができる回動スイッチに関する。
【０００２】
【従来の技術】
一般に、家電機器などに使用されるスイッチ、例えば家庭用冷蔵庫に組込まれるドアスイッチは、冷蔵庫のドアを開閉したときに、その冷蔵庫内のランプを点灯、消灯および冷却モータのオン、オフを行うスイッチング機能の役割を果たしている。
【０００３】
さらに、このドアスイッチの必要条件として、ドアスイッチを家庭用冷蔵庫に取付けたとき、ドアスイッチ自体の外形と冷蔵庫の取付け位置の凹部形状との寸法的な誤差により、押下操作される操作部(アクチュエータ)の突出量が異なりやすく、このために操作部のストロークに過不足が生じてドアスイッチのスイッチ性能を確保し難くなっていた。
【０００４】
このドアスイッチの取付け精度のバラツキによる悪影響を受けずに安定してオン、オフさせるためには操作方向に長い操作ストロークを必要としているが、現状では長い操作ストロークを採用すれば、スイッチ自体が大型化したり、オーバーストロークによりスイッチ部品に破損が生じる恐れがあった。
【０００５】
また、片開き式や左右開き式などのドアの開閉方式の違いにより、ドアスイッチの操作方向も直線方向に進退してスイッチング動作する押しボタンタイプのものと、回動してスイッチング動作する回動タイプのものが知られており、各タイプ別に応じた複数種類の接点構造を用意しなければならなかった。
【０００６】
さらに、スイッチング操作時は接点部間で接点の切換えが遅いとアークの発生原因につながり、接点不良を誘起する。この接点不良を防ぐためには、接点部間の切換えを素早く行うスナップアクション開閉機構やそれに代わる開閉機構が必要になっていた。
【０００７】
このような問題を解決するために、押しボタンの押下操作に連動して可動接点がコイルバネに支持された一端を傾動支点とする４５゜程度の傾斜位置と垂直位置との間を傾動して、接点部間を切換えるスイッチが知られている(例えば特開平１１−１１１１０５号参照)。
【発明が解決しようとする課題】
ところが、このようなスイッチは内部に固定接点と可動接点と、さらに可動接点を復帰動作させるための専用のコイルバネとを要して内部の接点構造が複雑になるほか、組込みに際しても弾力性を有するコイルバネの取扱いや組立性が悪く、また部品点数や製作工数が多く低コスト化に限界が生じていた。
【０００８】
さらに、接点部間の切換えに際しても、可動接点の接点部が固定接点の接点部をこすって酸化膜を除去しながら接点を切換える摺接機能付きの構造である反面、磨耗が大きく、寿命低下しやすくなっていた。
【０００９】
このほかにも冷蔵庫内を照明するランプの点灯、消灯および冷却モータのオン、オフを１つのドアスイッチで切換える場合は、ドアの開閉に応じてスイッチをオン、オフする常閉・常開接点構成を有する単極双投タイプが必要であるが、ランプの点灯、消灯のみ、あるいは冷却モータのオン、オフの切換えのみを行うドアスイッチの場合は、常閉接点構成または常開接点構成の単極単投タイプだけで簡単に製作できる。
【００１０】
ところが、この単極単投タイプの場合は常閉接点構成か常開接点構成かに応じてスイッチ構造が異なるためハウジングを共用できず、接点構造の異なる２種類のタイプ別に応じたハウジングを用意しなければならなかった。このため、現状では１スイッチ構造で常閉または常開に切換え可能な単極双投タイプのドアスイッチを単極単投タイプのドアスイッチとして用い、どちらかの接点構成を用途に応じて選択的に使い分けるようにしている。
【００１１】
しかしながら、このような単極双投タイプのスイッチのうち、常閉または常開の一方の接点構成のみを選択的に使う場合は、他方の不使用側の接点構成が全く使用されず、不使用の接点部品が組込まれたままとなる不経済なドアスイッチとなり、コスト面からも割高となっていた。
【００１２】
このため、不使用側の接点部品を予め省いておくことも考えられるが、この場合はハウジング内に不使用側の接点部品が省かれた空間スペースが生じ、この空間スペースに対向する可動接点片は過剰傾動するなど正規の移動量がとれなくなり、この結果、可動接点片が位置ずれするなど接点構造のバランスが崩れて故障しやすくなり、接点性能が低下してしまう。したがって、この場合は可動接点片が過剰傾動するのを防止するダミー接点を付加するなどの修正部材を要することになり、大量生産されるスイッチにあっては１部品の追加が大きく製作コストに影響を及ぼすため、ダミー接点を削減したスイッチの開発が望まれていた。
【００１３】
そこでこの発明は、可動接点片自体に接点機能に加えて弾性変位するバネ機能との両機能を持たせた単一の共用部品として設けることができるため、部品点数を削減して低コスト化、小型化および組立性の向上を図ることができ、しかもスナップアクションによる良好な接点性能を確保して寿命延長を図ることができる信頼性の高い回動スイッチを提供することを目的とする。
【００１４】
【課題を解決するための手段】
この発明は、一側を開口した凹形状のハウジングと、その開口面を閉鎖するカバーとを設け、前記ハウジング内に導電性の固定接点片と可動接点片とを対設し、前記ハウジングに保持されて操作されるレバーの押圧力を前記可動接点片に加えて該可動接点片を可動変位させることにより接点部間を接離してスイッチング操作するスイッチであって、前記ハウジングには共通の固定接点片と、この共通固定接点片とは別の固定接点片とを並列配置して設け、前記各固定接点片の並列配置方向に直交して配置され、前記共通固定接点片側に付勢対接して前記直交方向に傾動自由に支持される傾動支点部を、導電性板バネ材を折曲げたＵ字形の一片側中間位置に有し、この一片側の可動変位方向の傾動支点部を基点とする該一片側の長手方向端部に接点部を形成した可動接点片を設け、前記可動接点片の傾動支点部を前記共通固定接点片に常時接触対応させた状態で、対向する固定接点片の接点部と前記可動接点片の接点部との接離を、前記可動接点片の他片側の外面長手方向に沿って接する前記レバーの押圧力に基づいて前記可動接点片をシーソ状に反転して切換える接点切換え機構を設け、前記接点切換え機構を内蔵したハウジングに回動自在に取付けられ、かつ復帰バネで外方に付勢突出させたレバーを設け、前記レバーの回動操作または回動復帰操作時に、該レバーの基端部に回動方向に沿って突出形成した円弧形突起が前記可動接点片の他片側を押圧接触・押圧退避して、該可動接点片を弾性変位させることにより該可動接点片の一片側に形成された接点部を固定接点片側に反転させて切換えることを特徴とする。
【００１５】
ここで回動スイッチとは、ドアの開閉操作に伴ってオン、オフする冷蔵庫のドアスイッチなどに適用することができる。
【００１６】
前記ハウジングとは、内方にスイッチの構成部品を組込む凹状の空洞部を有し、モールド成形および絶縁に適した合成樹脂材で構成することができる。また、ハウジングにスイッチの構成部品を取付ける際は、凹状の一面が開口した開口部より簡単に組込むことができる。この組込み後は、ハウジングの開口面を平板状のカバーで覆って容易に密封状態に閉鎖して組立てることができる。
【００１７】
前記固定接点片とは、導電板から打抜いて構成することができる。例えば、一側に接点部を有し、他側に配線接続部を有する細長い小片形状に打抜いて設けることができる。
【００１８】
前記可動接点片とは、導電性の板バネ材をＵ字形に屈曲形成して構成することができる。このうち、Ｕ字形の一片側を接点部側に設け、他片側を操作力受圧面側に設けている。また、開閉電流を大きくしたい場合や寿命延長を図る場合を考慮して接点部とバネ部を部分的に材質を変えた別部材で構成することもできる。例えば、接点部に導電性の高い材料を用い、バネ部に高弾性のバネ材を用い、両部品を、かしめなどでＵ字形に接合することもできる。
【００１９】
前記レバーは復帰バネで付勢されて該レバーの外端部がハウジングより外方に突出して押下可能に抜止め保持され、押下されたときはハウジング内に没入する如く押下ガイドされて接点部間を切換えるものであり、同じくモールド成形および絶縁に適した合成樹脂材で構成することができる。
【００２０】
前記接点部とは、可動接点片および固定接点片に一体形成して設けるか、あるいは導電性の接点部材を取付けて構成することができる。
【００２１】
前記傾動支点部とは、可動接点片の一片側の中間位置に、一体的に凹部形成または凸部形成して構成することができる。
【００２２】
前記接点切換え機構とは、並列配置された複数の固定接点片に対して直交方向に対設した１つの可動接点片をシーソ状に傾動自由に取付け、該可動接点片が操作部材の操作力を受けてシーソ状に反転することにより、可動接点片と固定接点片との接点部間を切換えるように構成することができる。
【００２３】
この発明によれば、スイッチング操作に伴って可動接点片を反転するシーソ構造の接点切換え機構を有しているため、この可動接点片自体に可動接点片本来の接点機能と復帰バネ機能とを併せ持つ兼用部品となって、部品点数の削減および組立工数の削減が図れ、また内部構造の簡素化に伴って低コスト化および省スペース化に伴う小型化を図ることができる。
【００２４】
ことに、ハウジングへの組込みに際しては、ハウジング内に複数の固定接点片を並列配置するため、ハウジングの内部空間に無駄な配置スペースを要せず効率よく整列させて取付けることができる。例えば、３個の固定接点片を組込む場合は、３列に整列させてコンパクトに組込むことができる。
【００２５】
また、可動接点片においても、Ｕ字形に設けて折畳んだ如く小さな形状であるため小型化に適しており、しかもＵ字形の屈曲部を頂点とする両片が相対向方向に弾性変位して十分な弾力性を得ることができるため、小型でありながら的確なバネ機能が得られる。さらに、可動接点片を固定接点片の並列方向に直交させて各々の固定接点片に接触対応可能に対設させているため、集中的な接点部の配置構造に相応しく、効率のよい配置構成が図れる。
【００２６】
また、可動接点片のＵ字形の他片側の外面長手方向に沿ってレバーが接するため、この他片側の長手方向に長く操作部材が接触対応することになり、レバーの操作長さ(操作ストローク)を十分に長くとれる。このようにスイッチング操作時に操作ストロークを長くとれるため、その操作ストロークの範囲内で接点の切換え領域を設定すれば、スイッチの取付け精度のバラツキによる悪影響を受けなくなる。このため、ストローク不足を解消して確実にオン、オフさせることができるほか、過剰ストロークを許容してスイッチ部品の破損の恐れもなくなる。
【００２７】
また、接点の切換えに際しても、可動接点片自体を板バネ材でＵ字形に折曲げて屈曲形成し、その屈曲形成した板バネ材をシーソ状に勢いよく反転させる弾力性を作用させてなるスナップ動作で接点を切換える構成のため素早い切換えが可能になり、接点部間でのアークの発生を防止することができる。この結果、アークの発生を解消した良好な接点性能が得られ、信頼性の高い安定したスイッチが得られる。
【００２８】
上述の可動接点片をシーソ状に反転許容する支持構成は、可動接点片側の傾動支点部と、これを受止める共通固定端子側の固定支点部との一方を凹部に、他方を凸部に形成して設けるのが簡単な構成で安定した傾動作用が得られることから適している。
【００２９】
さらに、この接点切換え機構は、スイッチング操作に連動して可動接点片を反転させる簡単な動きで構成できるため、押しボタンタイプのスイッチにも、回動タイプのスイッチにも容易に適用でき、共用性の高い接点切換え機構として使用できる。
【００３０】
また、固定接点片は、シーソ状に傾動する可動接点片の一端部の対向位置に１個だけ配設して切換えるように構成してもよく、両端部の対向位置に第１固定接点片と第２固定接点片とを配設して切換えるように構成することもできる。この場合、両固定接点片は同一形状で対処できるため、同一部品で共用することができる。
【００３１】
さらに、固定接点片側のハウジング内壁面に可動接点片が過剰傾動するのを規制する過剰傾動規制突起を設けた場合は、この過剰傾動規制突起の過剰傾動規制作用が働いてシーソ状に傾動する可動接点片が過剰傾動するのを規制することができるため、不使用側の接点部品を予め省いて、その部分に空間スペースができても、その空間スペースの位置で過剰傾動規制突起が可動接点片の過剰傾動を規制して適正な傾動状態を保つことができる。
【００３２】
この過剰傾動規制突起は、固定接点片側のハウジング内壁面に一体成形して可動接点片側に向けて突出し、その突出量は固定接点片の接点部により前記可動接点片の接点部を受止めるときの前記可動接点片の傾きよりも、より傾けた位置で可動接点片の端部を受止め許容するように突出構成すれば、可動接点片の反転動作時領域に入らず、安定した反転動作を確保することができる。
【００３３】
このため、接点構造の異なる単極双投タイプのスイッチや単極単投タイプのスイッチの全てのスイッチに共用できる共通のハウジングを用いることができる。ことに、可動接点片の過剰傾動を規制して可動接点片の位置ずれなどの不安定な動きを防止できるため、この接点構造のバランスを正常に保って安定したスイッチング動作を確保することができる。したがって、この場合はダミー接点のような修正部材を省略することができ、部品点数を削減しても安定した接点性能が得られ、またハウジングの共通利用を図って低コスト化することができる。
【００３４】
同様に、接点切換え機構を回動スイッチに適用することにより、レバーの回動方向に対して、外部からのスイッチング操作力がレバーの回動方向の向きに円滑に加わるような加圧方向に設定して取付けられる。
【００３５】
例えば、両開き式の冷蔵庫の開閉ドアに対応して取付けられる場合は、ドアの開閉に伴う操作力はハウジングの表面と略平行方向に加わるため、このハウジングの表面より突出したレバーは、その表面方向に沿った操作力を受けてレバーは一端を回動支点に回動しながらハウジング内に没入する如くスイッチング操作される。
【００３６】
この場合も、レバーの回動動作に伴ってＵ字形の可動接点片を弾性変位させて、可動接点片と固定接点片との接点部間を弾性的に接離対応させてスイッチング操作するように構成することができる。
【００３７】
ところで、上述したＵ字形の可動接点片については、他片側の開放端部を、くの字形に内向きに曲げた、くの字形折曲部に設けるのが好ましい。このくの字形折曲部を設けることにより、レバーの押圧が進んでも、このくの字形折曲部上の頂点が常に接触ポイントになるため、Ｕ字形を有する可動接点片自体の弾性作用と相まって安定した接点接触力が得られる。
【００３８】
さらに、Ｕ字形の可動接点片については、他片側の外面中央部に長手方向に沿って細長い半円形に突出する摺接突起を突設し、この摺接突起の長手方向に沿って、レバーが操作時に接触対応する。この摺接突起を設けることにより、レバーとはスイッチング操作時に面接触ではなく点接触で摺接対応することになり、両部材間の相互の磨耗が少なくなり、寿命延長が図れるとともに、滑らかな動きが得られる。
【００３９】
【発明の実施の形態】
この発明の実施の形態を以下図面に基づいて説明する。
［第１実施形態］
図面は冷蔵庫のドアスイッチに使用される押しボタンスイッチを示し、図１および図２において、この押しボタンスイッチ１１はハウジング１２と、カバー１３と、押しボタン１４と、復帰バネ１５と、３個の固定端子１６〜１８と、可動片１９とを一体に組込んで構成される。
【００４０】
ハウジング１２は、内部に上述の構成部品を組込む取付け空洞部を有し、この空洞部は後述するカバー１３によって塞がれる。
【００４１】
図３はカバー１３を示し、このカバー１３はハウジング１２の一側面開口部１２ａ（図２参照）より装着して取付けるものであり、そのカバー１３の内面には後述する固定端子１６〜１８や可動片１９を個別に区画して支持する仕切り部材１３ａ…を備えている。
【００４２】
また、カバー１３の上部一側には、仕様タイプの異なる回動スイッチとの共用化を図った軸支部１３ｂを備えており、この１種類のカバー１３を押しボタンタイプのスイッチにも、回動レバータイプのスイッチにも利用できるようにしている。
【００４３】
図４は押しボタン１４を示し、この押しボタン１４は上下方向に長く伸びた上部側を押圧面１４ａに設定し、下部側の両側面に一対の抜止め突起１４ｂを突出形成している。この押しボタン１４はハウジング１２の筒部１２ｂに下方から挿入されて、筒部１２ｂをガイドとして上下方向に摺動可能に取付けられ、後述する復帰バネ１５の付勢力を受けて押しボタン１４の押下面１４ａが上方に突出した押下可能な状態に支持されている。このとき、押しボタン１４の抜止め突起１４ｂがハウジング内部の図示しない係止部に係止されて、押しボタン１４はハウジング１２に抜止め支持されている。
【００４４】
さらに、この押しボタン１４の下部一側には傾斜突起１４ｃを突設し、この傾斜突起１４ｃが後述する可動片１９と接触対応してスイッチング操作させる。
【００４５】
上述の復帰バネ１５はコイルバネにて形成され、上端が押しボタン１４の下面凹部１４ｄ(図７参照)内に挿入され、下端がカバー１３の下面に形成されたバネ座１３ｃに弾圧し、上下方向に圧縮可能な状態に収納支持されて押しボタン１４を押下可能にハウジング１２に付勢支持させている。図中、１２ｃは端子接続口である。
【００４６】
図５は接点構成部品として３個の固定端子１６〜１８と１個の可動片１９を示し、各固定端子１６〜１８は導電性金属板にて細長い平板状にそれぞれ独立して３列に並列配設し、その中間位置の共通固定端子１６を挟む上部位置に第１固定端子１７を、下部位置に第２固定端子１８を平行してハウジング１２に一体に取付け、このうち共通固定端子１６は先端部の平面上に山形状に突出する固定支点部１６ａを突出形成している。また、上部位置に配設される第１固定端子１７の先端部平面上には半球形の小さな第１固定接点部１７ａを付設し、下側に配設される第２固定端子１８の先端部平面上には半球形の小さな第２固定接点部１８ａを付設している。この場合、第１固定端子１７と第２固定端子１８とは同一形状で同機能を有するため、同一部品で共用することができる。
【００４７】
また、第１固定端子１７と第２固定端子１８との各固定接点部１７ａ，１８ａは別部品を付設する以外に、各固定端子１７，１８の先端を突出し接点として突出形成し、同一部品にて設けることもできる。
【００４８】
可動片１９は、導電バネ性の金属板をＵ字形に長く屈曲形成し、この屈曲した部分を頂部とする両片１９Ａ，１９Ｂのうち、一片側１９Ａには中間位置に、前記共通固定端子１６の先端部に突出する固定支点部１６ａに凹部対応する傾動支点部１９ａを形成し、この傾動支点部１９ａの上部側に固定接点部側に向けて突出する第１可動接点部１９ｂを形成し、傾動支点部１９ａの下部側に固定端子側に向けて突出する第２可動接点部１９ｃを形成している。この場合も、各可動接点部１９ｂ，１９ｃは突出形成に限らず、接点用の別部品を付設して形成することもできる。
【００４９】
そして、上述の可動片１９の傾動支点部１９ａと、これと対向する共通固定端子１６の固定支点部１６ａとが凹凸対応して傾動自在に支持される。このとき、可動片１９の他片側１９Ｂが、既述した押しボタン１４の傾斜突起１４ｃに加圧されて一片側１９Ａに付勢して固定端子側との接点部間を接触させた状態にあり、スイッチング操作時に押しボタン１４と一体の傾斜突起１４ｃが上下動して傾動支点部１９ａの位置を越えたときに可動片上部側にかかる付勢力から可動片下部側にかかる付勢力に切換わり、これに基づいて可動片１９は傾動支点部１９ａを傾動支点にシーソ状に反転して接点が切換えられる。このため、可動片１９はスイッチング操作時に傾動し、いずれかの可動接点部１９ｂ，１９ｃ側が対向する固定端子１７，１８側の固定接点部１７ａ，１８ａに付勢対接して導通する。また、押しボタン１４の押下解除時は可動片１９が傾動支点部１９ａを傾動支点に逆向きの反転動作を行って接点が切換えられ、元の接点状態に戻る。
【００５０】
さらに、Ｕ字形の可動片１９については、他片側１９Ｂの外面中央部に長手方向に沿って細長い半円形に突出する摺接突起１９ｄを突設し、この摺接突起１９ｄの長手方向に沿って、押しボタン１４の傾斜突起１４ｃが接触対応する。
【００５１】
このとき、可動片１９に摺接突起１９ｄを設けることにより、押しボタン１４の傾斜突起１４ｃとはスイッチング操作時に面接触ではなく点接触で摺接対応することになり、両部材間の相互の磨耗が少なくなり、寿命延長が図れるとともに、滑らかな動きが得られる。
【００５２】
さらに、他片側１９Ｂの下端を、くの字形に内向きに曲げた、くの字形折曲部１９ｅを有している。このくの字形折曲部１９ｅを備えることにより、押しボタン１４の押し込みが進んでも、このくの字形折曲部１９ｅ上の摺接突起１９ｄの頂点１９ｆが常に接触ポイントになるため、Ｕ字形を有する可動片自体の弾性作用と相まって安定した接点接触力が得られる(後述する図２４〜図２６の説明を参照)。
【００５３】
このように構成された押しボタンスイッチ１１は、ドア開放時の押しボタン１４が押下されていない状態では、可動片上部の他片側１９Ｂが押しボタンの傾斜突起１４ｃに付勢されて、図６〜図８に示すように、可動片１９の傾動支点部１９ａは共通固定端子１６の固定支点部１６ａに支持されて常時接触対応した状態にあり、同時に可動片上部側の第１可動接点部１９ｂが第１固定端子１７の第１固定接点部１７ａに接触対応して、可動片１９を介して共通固定端子１６と第１固定端子１７とは導通状態にある。
【００５４】
次に、図９に示すように、押しボタン１４が押下操作されると、この押しボタン１４は復帰バネ１５の付勢力に抗して下向きに直進移動し、押しボタン１４の上部がハウジング１２内に押し込まれる。
【００５５】
このとき、押しボタン１４の傾斜突起１４ｃはバネ性を有する可動片１９の他片側１９Ｂに沿って滑り込みながら進み、可動片１９の傾動支点部１９ａの位置を通過すると、図１０〜図１２に示すように、可動片１９は傾動支点部１９ａを支点に、Ｕ字形自体の持つ弾力保有特性に基づいてシーソ状に反転し、今まで導通していた第１可動接点部１９ｂが第１固定接点部１７ａより離れて不導通になり、これに代わって第２可動接点部１９ｃが第２固定接点部１８ａと接触し、共通固定端子１６と第２固定端子１８は導通状態になる。
【００５６】
この可動片１９が反転するとき、可動片自体がＵ字形板バネ材の反力によるスナップ動作で勢いよく瞬時に反転するため、アークの発生を解消し、酸化膜の発生を防いで信頼性の高い安定した接点性能が得られる。
【００５７】
さらに、押しボタン１４が押し込まれて、押しボタン１４の下端がカバー１３の底面に当接して停止する。この押下状態から押しボタン１４の外力が除かれると、押しボタン１４は復帰バネ１５の復帰力を受けて元の押下待機位置に退避して戻り、可動片１９も同様に反転して元の位置に復帰し、接点部間も上述の動きと逆の反転動作を行って初期状態に戻り、接点の切換えが行われる。
【００５８】
また、可動片１９の摺接突起１９ｄと接触対応する押しボタン１４の傾斜突起１４ｃの傾斜長さ１４ｇ(図１２参照)を長くとれば、可動片１９に対する長い押下ストロークが得られ、可動片１９との接触安定性が向上する。
【００５９】
ところで、上述の可動片１９をシーソ状に反転許容する支持構成は、可動片１９側の傾動支点部１９ａと、これを受止める共通固定端子１６側の固定支点部１６ａとの一方を凹部に、他方を凸部に形成して設けるのが簡単な構成で安定した傾動作用が得られることから適している。上述例では共通固定端子１６側を凸部に形成し、可動片１９側を凹部に形成して設けたが、これに限定されるものではない。
【００６０】
また、固定支点部１６ａの凸部形状においても、共通固定端子１６の金属平板の一部を部分的に凸部形成して設けたが、同じく、図１３(Ａ)に示すように、共通固定端子１３１の平板先端部の上側全体を突出形成して固定支点部１３２を設けてもよく、図１３(Ｂ)に示すように、共通固定端子１３３の平板先端部の一部を部分的に突出形成して固定支点部１３４を設けてもよい。
【００６１】
このように、押しボタンスイッチ１１は、スイッチング操作に伴って可動片１９を反転するシーソ構造の接点切換え機構を有しているため、この可動片自体に可動片本来の接点機能と復帰バネ機能とを併せ持つ兼用部品となって、部品点数の削減および組立工数の削減が図れ、また内部構造の簡素化に伴って低コスト化および省スペース化に伴う小型化を図ることができる。
【００６２】
ことに、ハウジング１２への組込みに際しては、ハウジング内に複数の固定端子１６〜１８を並列配置するため、ハウジングの内部空間に無駄な配置スペースを要せず効率よく整列させてコンパクトに組込むことができる。
【００６３】
また、可動片１９においても、Ｕ字形に設けて折畳んだ如く小さな形状であるため小型化に適しており、しかもＵ字形の屈曲部を頂点とする両片が相対向方向に弾性変位して十分な弾力性を得ることができるため、小型でありながら的確なバネ機能が得られる。さらに、可動片１９を固定端子１６〜１８の並列方向に直交させて各々の固定端子に接触対応可能に対設させているため、集中的な接点部の配置構造に相応しく、効率のよい配置構成が図れる。
【００６４】
また、可動片１９のＵ字形の他片側１９Ｂの外面長手方向に沿って押しボタン１４の傾斜突起１４ｃが接するため、この他片側１９Ｂの長手方向に長く押しボタン１４が接触対応することになり、押しボタンの操作ストロークを十分に長くとれる。このようにスイッチング操作時に操作ストロークを長くとれるため、その操作ストロークの範囲内で接点の切換え領域を設定すれば、スイッチの取付け精度のバラツキによる悪影響を受けなくなる。このため、ストローク不足を解消して確実にオン、オフさせることができるほか、過剰ストロークを許容してスイッチ部品の破損の恐れもなくなる。
【００６５】
[第２実施形態]
次に、押しボタンスイッチ１１に代えて、回動スイッチを同様に冷蔵庫のドアスイッチに使用した場合について説明する。
【００６６】
図１４および図１５において、この回動スイッチ１４１はハウジング１４２と、カバー１４３と、回動レバー１４４と、復帰バネ１４５と、３個の固定端子１４６〜１４８と、可動片１４９とを一体に組込んで構成される。
【００６７】
ハウジング１４２は、内部に上述の構成部品を組込む取付け空洞部を有し、この空洞部は後述するカバー１４３によって塞がれる。
【００６８】
上述のカバー１４３は、図３に示したカバー１３と同一であり、押しボタンスイッチ１１と同様に、ハウジング１４２の一側面開口部１４２ａより取付けて一体化する。
【００６９】
図１６は回動レバー１４４を示し、この回動レバー１４４は扇形状を有し、その傾斜上面に沿ってレバー押下片１４４ａを斜め上向きに延設し、下部の扇形中心角部の両側面に支軸１４４ｂを突設し、一方の支軸１４４ｂはカバー１４３の内側面に形成された軸支部１３ｂ(図３参照)に軸支され、他方の支軸１４４ｂはハウジング１４２の内側面に開口して設けた軸支孔１４２ｃに軸支されて該回動レバー１４４は、これらの軸支部を回動基点にハウジング１４２に回動自由に取付けられる。
【００７０】
この回動レバー１４４はハウジング１４２のレバー装着口１４２ｂに上方から挿入されて、後述する復帰バネ１４５の付勢力を受けて回動レバー１４４の押下対応面としてのレバー押下片１４４ａが上方に突出した押下可能な状態に支持されており、この斜め上方に長く伸びたレバー押下片１４４ａが水平方向からの外力を受けたときに、両側の支軸１４４ｂを支点に回動する。
【００７１】
さらに、この回動レバー１４４の下部一側面には半円形摺接突起１４４ｃを突設しており、この半円形摺接突起１４４ｃが、図５で既述した可動片１９と同一構成を有する可動片１４７に接触対応してスイッチング操作される。
【００７２】
このとき、半円形摺接突起１４４ｃは、レバー１４４の支軸１４４ｂを回動基点とする回動方向に沿う半円形状に全体を細長く突出形成し、その接触部分は断面半月状に突出させて接触面を点接触させて、摺接するように設けている。このため、相互の接触部材間の磨耗が少なくなり、滑らかな動きが得られる。
【００７３】
さらに、このレバー１４４の下面には厚さ方向の伸縮を可能にして、支軸１４４ｂ部分の取付け性を高めた各割溝１４４ｄ，１４４ｅを形成している。
【００７４】
上述の復帰バネ１４５はコイルバネにて形成され、この復帰バネ１４５がハウジング１４２の内部に水平に突出するバネ支持軸１４２ｄに挿通されて支持され、この復帰バネ１４５の一端をハウジング１４２に固定し、他端を回動レバー１４４の扇形状下面に係合固定して取付けられ、このバネ１４５の付勢力により回動レバー１４４は、そのレバー押下片１４４ａがハウジング１４２の上面より突出して回動レバー１４４を押下可能にハウジング１４２の上面より上方に付勢突出させている。
【００７５】
そして、上方のレバー押下片１４４ａに外力が加わってスイッチング操作されると、回動レバー１４４が下向きに回動し始めて内方の接点部間が切換わる。
【００７６】
上述の接点構成部品としての３個の固定端子１４６〜１４８と１個の可動片１４９は、図５で既述した固定端子１６〜１８と可動片１９と同一の構造であり、共通固定端子１４６は固定支点部１４６ａを有し、第１固定端子１４７には第１固定接点部１４７ａを有し、第２固定端子１４８には第２固定接点部１４８ａを有している。また、可動片１４９はＵ字形の一片側１４９Ａに傾動支点部１４９ａと第１可動接点部１４９ｂと第２可動接点部１４９ｃとを有している。
【００７７】
したがって、上述の押しボタンスイッチ１１と同一の接点構成のため同様な接点の切換えによるスイッチング操作がなされ、また同一の部品であるため共通部品として使用することができる。また、同様な接点の切換え構造を有し、かつ部分的に改良を施した図１３に示した固定端子を用いても同様に適用することができる。このように、接点の切換え構造およびその作用効果は上述の実施の形態と同じであるため、同一の説明は省略する。
【００７８】
このように構成された回動スイッチ１４１は、回動レバー１４４が押下されていない状態では、可動片上部の他片側１４９Ｂが回動レバーの半円形摺接突起１４４ｃに付勢されて、図１７〜図１９に示すように、可動片１４９の傾動支点部１４９ａは共通固定端子１４６の固定支点部１４６ａに支持されて常時接触対応した状態にあり、同時に可動片上部側の第１可動接点部１４９ｂが第１固定端子１４７の第１固定接点部１４７ａに接触対応して、可動片１４９を介して共通固定端子１４６と第１固定端子１４７とは導通状態にある。
【００７９】
次に、図２０に示すように、回動レバー１４４が水平方向からの外力を受けて押下操作されると、この回動レバー１４４は復帰バネ１４５の付勢力に抗して下向きに回動し、回動レバー１４４の全体がハウジング１４２内に押し込まれる。
【００８０】
このとき、回動レバー１４４の半円形摺接突起１４４ｃはバネ性を有する可動片１４９の他片側１４９Ｂに沿って滑り込みながら進み、可動片１４９の傾動支点部１４９ａの位置を通過すると、図２１〜図２３に示すように、可動片１４９は傾動支点部１４９ａを支点に、Ｕ字形自体の持つ弾力保有特性に基づいてシーソ状に反転し、今まで導通していた第１可動接点部１４９ｂが第１固定接点部１４７ａより離れて不導通になり、これに代わって第２可動接点部１４９ｃが第２固定接点部１４８ａと接触し、共通固定端子１４６と第２固定端子１４８は導通状態になる。
【００８１】
この可動片１４９が反転するとき、可動片自体がＵ字形板バネ材の反力によるスナップ動作で勢いよく瞬時に反転するため、アークの発生を効率よく解消して接点面上の酸化膜の発生を防ぎ、信頼性の高い接点性能が得られる。
【００８２】
さらに、回動レバー１４４が押し込まれて、回動レバー１４４のレバー押下片１４４ａがハウジング上面と面一になった時点で回動停止する。この押下状態から回動レバー１４４の外力が除かれると、回動レバー１４４は復帰バネ１４５の復帰力を受けて元の押下待機位置に退避して戻り、可動片１４９も同様に反転して元の位置に復帰し、接点部間も上述の動きと逆の反転動作を行って初期状態に戻り、接点の切換えが行われる。
【００８３】
ところで、既述した押しボタンスイッチ１１の可動片１９が可動変位したときの接触原理および接触作用を図２４〜図２６の動作説明図を参照して説明する。
【００８４】
図２４は可動片１９が押下待機された初期位置を示し、可動接点部１９ｂ，１９ｃと固定接点部１７ａ，１８ａとの間の接触対応する部分の接触力および可動片１９と共通固定端子１６との間の接触対応する部分の接触力は、押しボタン１４の下部に設けられて一体に上下動する傾斜突起１４ｃの動きに連動して変化し、この傾斜突起１４ｃに接する可動片１９の他片側１９Ｂが圧縮方向(内向き)に弾性変位して変形することにより、発生する力の大きさ(その力を解析すると、略水平方向の力Ｗ０、上方の力μＮ、下方の力Ｆ０、反力Ｎが生じる)と、水平方向の力が上下の可動接点部１９ｂ，１９ｃと上下の固定接点部１７ａ，１８ａおよび可動片１９と共通固定端子１６との相互の接触対応部分に作用する位置からの距離で決まる。
【００８５】
この場合、押しボタンが押下されていない傾斜突起１４ｃが押下待機初期位置のときは、略水平方向の力Ｗ０の作用する位置は、常閉接点部分１７ａ、１９ｂと傾動支点部１９ａの間に作用し、接点部間の接触に適した均等な接触力が得られる位置に設定している。このときの各接触力Ｒ１、Ｒ２は
Ｒ１：傾動支点部１９ａと固定支点部１６ａとの接点部間の接触力
Ｒ２：第１可動接点部１９ｂと第１固定接点部１７ａとの接点部間の接触力
Ｗ０：略水平方向にかかる力
Ｌ１：傾動支点部１９ａから水平方向の力Ｗ０が作用する位置までの距離
Ｌ２：第１可動接点部１９ｂから水平方向の力Ｗ０が作用する位置までの距離
とすると、
Ｒ１＝Ｗ０・(Ｌ２／Ｌ１＋Ｌ２)
Ｒ２＝Ｗ０・(Ｌ１／Ｌ１＋Ｌ２)
で求まる。
【００８６】
図２５は押しボタンの押下に伴い傾斜突起１４ｃが下動し、その降下途中の可動片１９の反転直前の変位状態を示し、傾斜突起１４ｃが可動片１９の他片側１９Ｂを次第に押圧して固定接点部１７ａ，１８ａ側と可動片１９側との接触力が高められる。このとき、可動片１９の他片側１９Ｂにかかる力Ｗ１が傾動支点部１９ａに到達した時点の可動片１９の反転直前の対応位置を表している。
【００８７】
図２６は押しボタンの押下完了時に相当する傾斜突起１４ｃが最下動した動作限界位置を示し、この動作限界位置でも可動片１９に作用する力Ｗ２は、くの字形折曲部１９ｅを形成しているため、力Ｗ２が作用する位置は常閉接点部分１８ａ、１９ｃと傾動支点部１９ａとの間に作用して、接点部間の接触に適した均等な接触力が得られるようにしている。このときの各接触力Ｒ３、Ｒ４は
Ｒ３：傾動支点部１９ａと固定支点部１６ａとの接点部間の接触力
Ｒ４：第２可動接点部１９ｃと第２固定接点部１８ａとの接点部間の接触力
Ｗ２：略水平方向にかかる力
Ｌ３：傾動支点部１９ａから水平方向の力Ｗ２が作用する位置までの距離
Ｌ４：第２可動接点部１９ｃから水平方向の力Ｗ２が作用する位置までの距離
とすると、
Ｒ３＝Ｗ２・(Ｌ４／Ｌ３＋Ｌ４)
Ｒ４＝Ｗ２・(Ｌ３／Ｌ３＋Ｌ４)
で求まる。
【００８８】
さらに、傾斜突起１４ｃと可動片１９との接触領域を定めて、接点部間の接触に適した均等な接触力を確保できるように、可動片１９の他片側１９Ｂの下端部を内向きに曲げた、くの字形折曲部１９ｅを有して接触領域長さを制限している。このため、可動片１９がシーソ状に繰返し反転動作するスイッチング操作がなされても、この可動片１９に対しては終始均等で安定した接触力が作用する。
【００８９】
[第３実施形態]
図２７および図２８は冷蔵庫のドアスイッチに使用される他の例の押しボタンスイッチ２７１を示し、この押しボタンスイッチ２７１は数種類の押しボタンスイッチに共通利用可能なハウジング２７２を設けたことを特徴とし、ハウジング２７２と、カバー２７３と、押しボタン２７４と、復帰バネ２７５と、３個の固定端子２７６〜２７８と、可動片２７９とを一体に組込んで構成される。
【００９０】
図２９はハウジング２７２を示し、このハウジング２７２は内部に上述の構成部品を組込む取付け用の空洞部を有し、この空洞部の一側面開口部２７２ａより押しボタン２７４と復帰バネ２７５と、３個の固定端子２７６〜２７８と、可動片２７９とが組込まれ、この一側面開口部２７２ａは後述するカバー２７３によって塞がれる。
【００９１】
また、ハウジング２７２の上面には上下方向に貫通する筒部２７２ｂを有し、ここに押しボタン２７４が上下方向に摺動自在に貫通して取付けられ、この押しボタン２７４の筒内の空間部に復帰バネ２７５が圧縮状態に収納されて取付けられる。また、押しボタン２７４の内部側方に隣接する位置には可動片２７９を保持する可動片取付け部２７２ｃを有し、さらに可動片２７９と隣接する位置には上下方向に区切った３連の並列する固定端子取付け部２７２ｄと、その端子接続口２７２ｅを有している。
【００９２】
図３０はカバー２７３を示し、このカバー２７３はハウジング２７２の一側面開口部２７２ａより装着して取付けるものであり、そのカバー２７３の内面には後述する固定端子２７６〜２７８や可動片２７９を個別に区画して支持する仕切り部材２７３ａ…を備えている。
【００９３】
また、カバー２７３の上部一側には、仕様タイプの異なる回動スイッチとの共用化を図った軸支部２７３ｂを備えており、この１種類のカバー２７３を押しボタンタイプのスイッチにも、回動レバータイプのスイッチにも利用できるようにしている。
【００９４】
図３１は押しボタン２７４を示し、この押しボタン２７４は上下方向に長く伸びた筒体の頂部を押圧面２７４ａに設定し、下部側に抜止めブロック部２７４ｂを有している。この押しボタン２７４はハウジング２７２の筒部２７２ｂに下方から挿入されて、筒部２７２ｂをガイドとして上下方向に摺動可能に取付けられ、後述する復帰バネ２７５の付勢力を受けて押しボタン２７４の押下面２７４ａが上方に突出した押下可能な状態に支持されている。このとき、押しボタン２７４の抜止めブロック部２７４ｂが、図３２および図３３に示すように、ハウジング２７２内部の抜止め係止面２７２ｆに係止されて、押しボタン２７４はハウジング２７２に一体に抜止め支持される。
【００９５】
この場合、押しボタン２７４とハウジング２７２との摺動面間の水密性を高めるため押しボタン２７４の筒体下部の外周面には、図３１に示すように、テーパ面２７４ｆを形成している。これにより、ハウジング２７２に組込まれた押下待機状態では、テーパ面２７４ｆが復帰バネ２７５の付勢力によりハウジング筒部２７２ｂの開口周縁エッジ部２７２ｇに圧接して簡易的な水密構造を有している。
【００９６】
このようにテーパ面２７４ｆを設けるだけで簡易的な水密構造を持たせることができ、押しボタン部からハウジング内への水の浸入を防ぐことができる。このため、ゴムなどのシール部材を要せずに水密構造が得られ、しかもハウジング内への水の浸入がないのでドアスイッチとしての取付け方向を任意に選ぶことができる。
【００９７】
なお、押しボタン２７４の抜止めブロック部２７４ｂの面に環状の突部(図示せず)を形成し、この突部をハウジング２７２内部の抜止め係止面２７２ｆに当接させて簡易的な水密構造を形成してもよい。
【００９８】
さらに、この押しボタン２７４の下部一側には傾斜突起２７４ｃを突設し、この傾斜突起２７４ｃが後述する可動片２７９と接触対応してスイッチング操作される。
【００９９】
上述の復帰バネ２７５はコイルバネにて形成され、上端が押しボタン２７４の下面凹部２７４ｄ(図３５参照)内に挿入され、下端がカバー２７３の下面に形成されたバネ座２７３ｃに弾圧し、上下方向に圧縮可能な状態に収納支持されて押しボタン２７４を押下可能にハウジング２７２に付勢支持させている。
【０１００】
図３４は接点構成部品として３個の固定端子２７６〜２７８と１個の可動片２７９を示し、各固定端子２７６〜２７８は導電性金属板にて細長い平板状に３列に独立して並列配設され、その中間位置の共通固定端子２７６を挟む上部位置に第１固定端子２７７を、下部位置に第２固定端子２７８を平行してハウジング２７２に一体に取付け、このうち共通固定端子２７６は先端部に山形状に突出する固定支点部２７６ａを突出形成している。
また、上部位置に配設される第１固定端子２７７の先端部平面上には長方体の小さな第１固定接点部２７７ａをカシメ固定して付設し、同じく下側に配設される第２固定端子２７８の先端部平面上には長方体の小さな第２固定接点部２７８ａをカシメ固定して付設している。この場合、第１固定端子２７７と第２固定端子２７８とは同一形状で同機能を有するため、同一部品で共用することができる。
【０１０１】
さらに、取付けに際しては、各固定端子２７６〜２７８の中央部に開口した位置決め穴２７６ｂ〜２７８ｂをハウジング２７２の位置決めピン２７２ｈ…にそれぞれ挿通して定位置に正確に取付けている。
【０１０２】
可動片２７９は、導電バネ性の金属板をＵ字形に長く屈曲形成し、この屈曲した部分を頂部とする両片２７９Ａ，２７９Ｂのうち、一片側２７９Ａの長手方向中間位置に、前記共通固定端子２７６の先端部に突出する固定支点部２７６ａに凹部対応する傾動支点部２７９ａを形成し、この傾動支点部２７９ａの上部側に、固定接点部側に向けて突出する第１可動接点部２７９ｂをカシメ固定して付設し、傾動支点部２７９ａの下部側に、固定接点部側に向けて突出する第２可動接点部２７９ｃをカシメ固定して付設している。
【０１０３】
そして、上述の可動片２７９の傾動支点部２７９ａと、これに対向する共通固定端子２７６の固定支点部２７６ａとが凹凸対応して可動片２７９が傾動自在に支持される。このとき、可動片２７９の他片側２７９Ｂが、既述した押しボタン２７４の傾斜突起２７４ｃに加圧されて一片側２７９Ａを付勢し、固定端子側との接点部間を接触させた状態にあり、スイッチング操作時に押しボタン２７４の下部に突出する傾斜突起２７４ｃの動きに連動して上下動し、この傾斜突起２７４ｃが下動時に傾動支点部２７９ａの位置を越えたときに可動片上部側にかかる付勢力から可動片下部側にかかる付勢力に切換わり、これに基づいて可動片２７９は傾動支点部２７９ａを支点にシーソ状に反転して接点が切換えられる。
【０１０４】
このため、可動片２７９はスイッチング操作時に傾動し、上下のいずれかの可動接点部２７９ｂ，２７９ｃが対向する固定端子２７７，２７８側の固定接点部２７７ａ，２７８ａに付勢対接して導通する。また、押しボタン２７４の押下解除時は可動片２７９が傾動支点部２７９ａを支点にシーソ状に逆向きの反転動作を行って接点が切換えられ、元の接点状態に戻る。
【０１０５】
さらに、Ｕ字形の可動片２７９については、他片側２７９Ｂの外面中央部に長手方向に沿って細長い半円形に突出する摺接突起２７９ｄを突設し、この摺接突起２７９ｄの長手方向に沿って、押しボタンの傾斜突起２７４ｃが終始接触対応する。
【０１０６】
このとき、可動片２７９に摺接突起２７９ｄを設けることにより、押しボタンの傾斜突起２７４ｃとはスイッチング操作時に面接触ではなく点接触で終始摺接対応することになり、このため両部材間のスイッチング操作に伴う相互の磨耗は少なくなり、寿命延長が図れるとともに滑らかな動きが得られる。
【０１０７】
さらに、他片側２７９Ｂの下端を、くの字形に内向きに曲げた、くの字形折曲部２７９ｅを有している。このくの字形折曲部２７９ｅを備えることにより、押しボタン２７４の押し込みが進んでも、このくの字形折曲部２７９ｅ上の摺接突起２７９ｄの頂点２７９ｆが常に接触ポイントになるため、Ｕ字形を有する可動片自体の弾性作用と相まって安定した接点接触力が得られる。
【０１０８】
このように構成された押しボタンスイッチ２７１は、ドアが開けられて押しボタン２７４が押下されていないドア開放時の状態では、可動片上部の他片側２７９Ｂが押しボタンの傾斜突起２７４ｃに付勢されて、図３５〜図３６に示すように、可動片２７９の傾動支点部２７９ａは共通固定端子２７６の固定支点部２７６ａに支持されて常時接触対応した状態にあり、同時に可動片上部側の第１可動接点部２７９ｂが第１固定端子２７７の第１固定接点部２７７ａに接触対応して、可動片２７９を介して共通固定端子２７６と第１固定端子２７７とは導通状態にある。
【０１０９】
この押しボタン２７４が押下操作されると、この押しボタン２７４は復帰バネ２７５の付勢力に抗して下向きに直進移動し、押しボタン２７４の上部がハウジング２７２内に押し込まれる。
【０１１０】
このとき、押しボタン２７４の傾斜突起２７４ｃと可動片２７９とは既述した第１実施形態の図９〜図１２で説明した動きと同様な動きをするため、その図面は省略する。
【０１１１】
押下時に下動する傾斜突起２７４ｃはバネ性を有する可動片２７９の他片側２７９Ｂに沿って滑り込みながら進み、可動片２７９の傾動支点部２７９ａの位置を通過すると、可動片２７９は傾動支点部２７９ａを支点に、Ｕ字形の持つ弾力保有特性に基づいてシーソ状に反転し、今まで導通していた第１可動接点部２７９ｂが第１固定接点部２７７ａより離れて不導通になり、これに代わって第２可動接点部２７９ｃが第２固定接点部２７８ａと接触し、共通固定端子２７６と第２固定端子２７８は導通状態になる。
【０１１２】
この可動片２７９が反転するとき、可動片自体がＵ字形板バネ材の反力によるスナップ動作で勢いよく瞬時に反転するため、アークの発生を解消し、酸化膜の発生を防いで信頼性の高い安定した接点性能が得られる。
【０１１３】
さらに、押しボタン２７４が押し込まれて、押しボタン２７４の下端がカバー２７３の底面に当接すると停止し、この押下状態から押しボタン２７４の外力が除かれると、押しボタン２７４は復帰バネ２７５の復帰力を受けて元の押下待機位置に戻り、可動片２７９も同様に反転して元の位置に復帰し、接点部間も上述の動きと逆の反転動作を行って初期状態に戻り、接点の切換えが行われる。
【０１１４】
また、可動片２７９の摺接突起２７９ｄと接触対応する押しボタン２７４の傾斜突起２７４ｃの傾斜長さ２７４ｇ(図３６参照)を長くとれば、可動片２７９に対する長い押下ストロークが得られ、可動片２７９との接触安定性が向上する。
【０１１５】
ところで、上述の可動片２７９をシーソ状に反転許容する支持構成は、可動片２７９側の傾動支点部２７９ａと、これを受止める共通固定端子２７６側の固定支点部２７６ａとの一方を凹部に、他方を凸部に形成して設けるのが簡単な構成で安定した傾動作用が得られることから適している。
【０１１６】
さらに、上下の固定接点部２７７ａ，２７８ａと対向するハウジング内壁面には可動片２７９が過剰傾動するのを規制する過剰傾動規制突起２７２ｉ(図３３参照)をそれぞれ突設している。
【０１１７】
この過剰傾動規制突起２７２ｉは、上側の第１可動接点部２７９ｂと第１固定接点部２７７ａか、あるいは下側の第２可動接点部２７９ｃと第２固定接点部２７８ａを取除いて単極単投タイプの接点構成にしたスイッチの場合に、その不使用側の接点部品を予め省いているため、その部分に空間スペースができても、その空間スペースの位置で過剰傾動規制突起２７２ｉが可動片２７９の過剰傾動を規制して適正な傾動状態を保つように形成している。
【０１１８】
このため、過剰傾動規制突起２７２ｉを設けた場合は、この突起２７２ｉの過剰傾動規制作用が働いてシーソ状に傾動する可動片２７９が過剰傾動するのを規制することができる。このため、接点構造の異なる２種類の単極単投タイプのスイッチにも単極双投タイプのスイッチにも共用できる共通のハウジング２７２を用いることができる。
【０１１９】
例えば、図３７に示すように、ハウジング２７２を常閉接点構成に適用した単極単投タイプの押しボタンスイッチ２７１Ａの場合は、上部側に設けられた第１可動接点部２７９ｂと第１固定接点部２７７ａのみを有し、下部側の第２可動接点部と第２固定接点部は製作段階で予め省いて製作され、必要な構成部品だけを備えて構成できる。
【０１２０】
この押しボタンスイッチ２７１Ａの押しボタン２７４が押下されていない押下待機状態では、図３７(Ａ)に示すように、第１可動接点部２７９ｂと第１固定接点部２７７ａが常時接触対応した常閉接点状態にある。
【０１２１】
この常閉接点状態から押しボタン２７４が押下されると、図３７(Ｂ)に示すように、可動片２７９は押しボタンの傾斜突起２７４ｃに押されてシーソ状に反転し、上部側の常閉の接点部間は閉から開に切換えられる。
【０１２２】
このとき、可動片２７９の下部が、取除かれた接点部分に相当する空間スペースＳの位置で過剰傾動するのを、過剰傾動規制突起２７２ｉで可動片２７９を受止める如く傾動規制して適正な傾動角度に位置規制することができる。
【０１２３】
この結果、可動片２７９の過剰傾動を規制して可動片２７９の位置ずれなどの不安定な動きを防止できるため、この接点構造のバランスを正常に保って安定したスイッチング動作を確保することができる。
【０１２４】
図３８はハウジング２７２を常開接点構成に適用した単極単投タイプの押しボタンスイッチ２７１Ｂの場合を示し、この場合は下部側に設けられた第２可動接点部２７９ｃと第２固定接点部２７８ａのみを有し、上部側の第１可動接点部と第１固定接点部は製作段階で予め省いて製作され、必要な構成部品だけを備えて構成できる。
【０１２５】
この押しボタンスイッチ２７１Ｂの押しボタン２７４が押下されていない押下待機状態では、図３８(Ａ)に示すように、下部側の第２可動接点部２７９ｃと第２固定接点部２７８ａが常時開放された常開接点状態にある。
【０１２６】
このとき、可動片２７９の上部が、取除かれた接点部分に相当する空間スペースＳの位置で過剰傾動するのを、過剰傾動規制突起２７２ｉで受止める如く傾動規制している。このため、可動片２７９を適正な傾動角度に位置規制することができる。
【０１２７】
この常開接点状態から押しボタン２７４が押下されると、図３８(Ｂ)に示すように、可動片２７９は押しボタンの傾斜突起２７４ｃに押されてシーソ状に反転し、下部側の接点部間は開から閉に切換えられる。
【０１２８】
図３９は図３６にも示したようにハウジング２７２を常閉・常開接点構成に適用した単極双投タイプの押しボタンスイッチ２７１の場合を示し、この場合は押しボタン２７４が押下されていない押下待機状態では、図３９(Ａ)に示すように、第１可動接点部２７９ｂと第１固定接点部２７７ａが常時接触対応した常閉接点状態にある。例えば、冷蔵庫のドア開に連動して上部側は閉接点になると、この上部側の閉信号に伴って庫内照明用のランプが点灯され、同時に冷却モータの出力が停止される。
【０１２９】
この常閉接点状態から押しボタン２７４が押下されると、図３９(Ｂ)に示すように、可動片２７９は押しボタンの傾斜突起２７４ｃに押されてシーソ状に反転し、上部側の接点部間は閉から開に切換えられる。この切換えと同時に、下部側の第２可動接点部２７９ｃと第２固定接点部２７８ａが接触対応して開から閉に切換えられる。
【０１３０】
この下部側の閉信号に伴って、例えば冷蔵庫の冷却モータが起動され、庫内照明用のランプが消灯する。このときは、上下部に接点部がそれぞれ存在するので接点部分には過剰傾動を発生させる空間スペースは生じない。
【０１３１】
図４０は図３７で示した常閉接点構成に適用した単極単投タイプの押しボタンスイッチ２７１Ａの可動片２７９と、第１固定端子２７７と、共通固定端子２７６との３点で構成することができる。この場合は、可動片２７９側にあっては、第２可動接点部を省いた構成にでき、固定端子側にあっては、第２固定端子そのものを削減することができる。
【０１３２】
図４１は図３８で示した常開接点構成に適用した単極単投タイプの押しボタンスイッチ２７１Ｂの可動片２７９と、共通固定端子２７６と、第２固定端子２７８との３点で構成することができる。この場合は、可動片２７９側にあっては、第１可動接点部を省いた構成にでき、固定端子側にあっては、第１固定端子そのものを削減することができる。
【０１３３】
[第４実施形態]
図４２は冷蔵庫のドアスイッチに使用した回動スイッチに備えられるハウジング４２１を示し、既述した第２実施形態の回動スイッチとは、ハウジング４２１のみが異なり、他の構造は同一であるため異なる点についてのみ説明する。
【０１３４】
このハウジング４２１は、上下の接点対応位置に過剰傾動規制突起４２１ｉをそれぞれ備えて構成したものであって、このような過剰傾動規制突起４２１ｉを備えた場合は、可動片の過剰傾動を規制して第３実施形態と同様に複数種の接点構成の異なるタイプのスイッチに適用することができる。
【０１３５】
上述のように、スイッチング操作に伴って可動片を反転させるシーソ構造の接点切換え機構に設けているため、この可動片自体が接点機能と復帰バネ機能とを併せ持つ共用部品となり、部品点数の削減、組立工数の削減に伴う低コスト化および内部空間の省スペース化に伴う小型化を図ることができる。また、接点の切換えに際しても、可動片自体をＵ字形板バネ材で形成して、このＵ字形板バネ材のスナップ動作でシーソ状に勢いよく反転させて接点を切換える構成のため、素早い切換えが可能になり、接点部間でのアークの発生を防止することができる。
【０１３６】
また、ハウジングに過剰傾動規制突起を設けた場合は、可動片の位置ずれなどの不安定な動きを防止できるため、適正な姿勢を保って安定したスイッチング動作を確保することができる。
【０１３７】
この発明の構成と、上述の実施の形態の構成との対応において、
この発明の共通の固定接点片は、実施の形態の固定端子１６，１４６に対応し、
以下同様に、
第１固定接点片は、第１固定端子１７，１４７，２７７に対応し、
第２固定接点片は、第２固定端子１８，１４８，２７８に対応し、
可動接点片は、可動片１９，１４９，２７９に対応し、
円弧形突起は、半円形摺接突起１４４ｃに対応するも、
この発明は請求項に示される技術思想に基づいて応用することができ、上述の実施の形態の構成のみに限定されるものではない。
【発明の効果】
この発明によれば、シーソ状の接点切換え機構を設けることにより、部品点数の削減および組立工数の削減が図れ、また内部構造の簡素化に伴う低コスト化を図ることができる。また、勢いよく反転させて接点を素早く切換える構成のため、接点部間でのアークの発生を防止して良好な接点性能が得られる。
【０１３８】
また、ハウジングに過剰傾動規制突起を設ければ、部品点数を削減しても可動片の動きを安定させることができ、接触信頼性の高い接点性能が得られ、さらに異種タイプのスイッチに対するハウジングの共通利用を図って各種スイッチの製作コストを低減することができる。
【図面の簡単な説明】
【図１】  押しボタンスイッチの外観斜視図。
【図２】  押しボタンスイッチの展開斜視図。
【図３】  押しボタンスイッチのカバーを示す拡大斜視図。
【図４】  押しボタンを示す拡大斜視図。
【図５】  押しボタンスイッチの可動片と固定端子を示す外観斜視図。
【図６】  押しボタンスイッチの押下待機状態を示す要部破断斜視図。
【図７】  押しボタンスイッチの押下待機状態を示す縦断側面図。
【図８】  押しボタンスイッチの押下待機状態を示す縦断正面図。
【図９】  押しボタンスイッチの押下途中の状態を示す要部破断斜視図。
【図１０】  押しボタンスイッチの押下状態を示す要部破断斜視図。
【図１１】  押しボタンスイッチの押下状態を示す縦断側面図。
【図１２】  押しボタンスイッチの押下状態を示す縦断正面図。
【図１３】  他の実施の形態の共通固定端子を示す拡大斜視図。
【図１４】  回動スイッチの外観斜視図。
【図１５】  回動スイッチの展開斜視図。
【図１６】  回動レバーを示す拡大斜視図。
【図１７】  回動スイッチの押下待機状態を示す要部破断斜視図。
【図１８】  回動スイッチの押下待機状態を示す縦断側面図。
【図１９】  回動スイッチの押下待機状態を示す縦断正面図。
【図２０】  回動スイッチの押下途中の状態を示す要部破断斜視図。
【図２１】  回動スイッチの押下状態を示す要部破断斜視図。
【図２２】  回動スイッチの押下状態を示す縦断側面図。
【図２３】  回動スイッチの押下状態を示す縦断正面図。
【図２４】  可動片の初期位置を示す動作説明図。
【図２５】  可動片の反転直前位置を示す動作説明図。
【図２６】  可動片の反転後の変位状態を示す動作説明図。
【図２７】  他の押しボタンスイッチの外観斜視図。
【図２８】  他の押しボタンスイッチの展開斜視図。
【図２９】  他の押しボタンスイッチのハウジングを示す斜視図。
【図３０】  他の押しボタンスイッチのカバーを示す拡大斜視図。
【図３１】  他の押しボタンを示す拡大斜視図。
【図３２】  他の押しボタンスイッチのシール構造を示す要部破断斜視図。
【図３３】  他のハウジングを斜め下方から見た斜視図。
【図３４】  他の押しボタンスイッチの可動片と固定端子を示す外観斜視図。
【図３５】  他の押しボタンスイッチの押下待機状態を示す縦断側面図。
【図３６】  他の押しボタンスイッチの押下待機状態を示す縦断正面図。
【図３７】  常閉接点構成のスイッチング動作状態を示す縦断正面図。
【図３８】  常開接点構成のスイッチング動作状態を示す縦断正面図。
【図３９】  常閉・常開接点構成のスイッチング動作状態を示す縦断正面図。
【図４０】  常閉接点構成に用いられる可動片と固定端子を示す外観斜視図。
【図４１】  常開接点構成に用いられる可動片と固定端子を示す外観斜視図。
【図４２】  他の回動スイッチに用いられるハウジングを示す外観斜視図。
【符号の説明】
１１，２７１，２７１Ａ，２７１Ｂ…押しボタンスイッチ
１４，２７４…押しボタン
１４ｃ，２７４ｃ…傾斜突起
１６〜１８，１４６〜１４８，２７６〜２７８…固定端子
１６ａ，１４６ａ，２７６ａ…固定支点部
１９，１４９，２７９…可動片
１９ａ，１４９ａ，２７９ａ…傾動支点部
１９ｅ，２７９ｅ…くの字形折曲部
１９ｄ，２７９ｄ…摺接突起
１４１…回動スイッチ
１４４…回動レバー
１４４ｃ…半円形摺接突起
２７２ｉ，４２１ｉ…過剰傾動規制突起
【図１】
0004063007.tif 000002
【図２】
0004063007.tif 000003
【図３】
0004063007.tif 000004
【図４】
0004063007.tif 000005
【図５】
0004063007.tif 000006
【図６】
0004063007.tif 000007
【図７】
0004063007.tif 000008
【図８】
0004063007.tif 000009
【図９】
0004063007.tif 000010
【図１０】
0004063007.tif 000011
【図１１】
0004063007.tif 000012
【図１２】
0004063007.tif 000013
【図１３】
0004063007.tif 000014
【図１４】
0004063007.tif 000015
【図１５】
0004063007.tif 000016
【図１６】
0004063007.tif 000017
【図１７】
0004063007.tif 000018
【図１８】
0004063007.tif 000019
【図１９】
0004063007.tif 000020
【図２０】
0004063007.tif 000021
【図２１】
0004063007.tif 000022
【図２２】
0004063007.tif 000023
【図２３】
0004063007.tif 000024
【図２４】
0004063007.tif 000025
【図２５】
0004063007.tif 000026
【図２６】
0004063007.tif 000027
【図２７】
0004063007.tif 000028
【図２８】
0004063007.tif 000029
【図２９】
0004063007.tif 000030
【図３０】
0004063007.tif 000031
【図３１】
0004063007.tif 000032
【図３２】
0004063007.tif 000033
【図３３】
0004063007.tif 000034
【図３４】
0004063007.tif 000035
【図３５】
0004063007.tif 000036
【図３６】
0004063007.tif 000037
【図３７】
0004063007.tif 000038
【図３８】
0004063007.tif 000039
【図３９】
0004063007.tif 000040
【図４０】
0004063007.tif 000041
【図４１】
0004063007.tif 000042
【図４２】
0004063007.tif 000043